(57)【特許請求の範囲】
【請求項１】
立設する円筒状の外周面を有する支持部と、
前記外周面に巻き付けられる捕集体と、
前記外周面に巻き付けられた前記捕集体に対して近接と離隔とを切り替え可能に設けられて前記捕集体に対する近接時に前記捕集体を保持する保持部と、
前記支持部の上端及び下端の少なくとも一方に設けられて前記保持部の回動軸を回動可能に支持する回動支持部と、
前記回動軸を前記保持部と共有して前記保持部の回動角度に応じて回動角度が決定されるホイールと
を備え、
前記ホイールには、前記回動支持部側に突出する突出部が設けられ、
前記回動支持部には、前記突出部と嵌合可能な２つの窪みが設けられ、
前記２つの窪みの一方と前記突出部とが嵌合する前記保持部の回動角度は、前記保持部が前記捕集体に近接した回動角度であり、
前記２つの窪みの他方と前記突出部とが嵌合する前記保持部の回動角度は、前記保持部が前記捕集体から離隔した回動角度である粒子状物質捕集装置。
【請求項２】
２つの前記保持部を備え、
２つの前記保持部の一方は、前記支持部の上端に設けられた前記回動支持部により回動可能に設けられ、
２つの前記保持部の他方は、前記支持部の下端に設けられた前記回動支持部により回動可能に設けられ、
前記一方と前記他方とは、前記上端と前記下端とを挟んで対向し、
前記一方と前記他方との間には、前記保持部と前記捕集体とが接触しない非接触部が設けられている
請求項１に記載の粒子状物質捕集装置。
【請求項３】
前記保持部は、前記捕集体に近接する側の反対側に取っ手が設けられている
請求項１又は２に記載の粒子状物質捕集装置。
【請求項４】
前記保持部は、前記捕集体に突入する突起を前記捕集体に近接する側に有する
請求項１から３のいずれか一項に記載の粒子状物質捕集装置。
【請求項５】
前記突起は、針状の突起であり、
前記保持部は、前記支持部の立設方向に直交する方向であって、かつ、前記外周面に沿う方向である所定方向の幅が前記突起の前記所定方向の幅に対応する
請求項４に記載の粒子状物質捕集装置。
【請求項６】
屋根と、側方に設けられた通気用の開口部とを有する箱体を有し、
前記支持部は、前記箱体内で立設する
請求項１から５のいずれか一項に記載の粒子状物質捕集装置。
【発明の詳細な説明】
【技術分野】
【０００１】
本発明は、粒子状物質捕集装置に関する。
【背景技術】
【０００２】
大気中に含まれる海塩粒子等の大気浮遊塩分は、金属や合金等（以下、金属等）を含む構造体に付着すると金属等の腐食を引き起こす。このため、大気環境により生じる腐食性を評価するために、構造体に対する大気浮遊塩分の付着度を測定することが行われている。大気浮遊塩分の付着度の測定方法として、通気性を有する円筒状の支持体（ガーゼホルダー）に巻き付けられたガーゼを所定期間大気中に曝露させて大気浮遊塩分を捕集する方法がある（例えば、特許文献１）。
【先行技術文献】
【特許文献】
【０００３】
【特許文献１】国際公開第２０１４／０４９７１６号
【発明の概要】
【発明が解決しようとする課題】
【０００４】
しかしながら、特許文献１に記載の方法では、所定期間を超える継続調査において、ガーゼを支持体から取り外し、新たなガーゼを支持体に巻き付けるという交換作業を行う必要があった。また、ガーゼを支持体に固定するためには、糸等によりガーゼを支持体に縛り付ける必要があるため、ガーゼの取り外し時に係る糸等を切断する必要があった。このように、特許文献１に記載の方法では、測定の繰り返しに係る作業が煩雑であった。
【０００５】
そこで、本発明では、大気浮遊塩分を捕集する部材の交換に係る作業がより簡便な粒子状物質捕集装置を提供することを目的とする。
【課題を解決するための手段】
【０００６】
上述した課題を解決し、目的を達成するために、本発明の粒子状物質捕集装置は、立設する円筒状の外周面を有する支持部と、前記外周面に巻き付けられる捕集体と、前記外周面に巻き付けられた前記捕集体に対して近接と離隔とを切り替え可能に設けられて前記捕集体に対する近接時に前記捕集体を保持する保持部とを備える。
【０００７】
本発明の望ましい態様として、前記保持部は、前記外周面に対して回動可能に設けられている。
【０００８】
本発明の望ましい態様として、前記保持部は、前記支持部の上端及び下端の少なくとも一方に設けられた回動支持部により回動可能に設けられている。
【０００９】
本発明の望ましい態様として、前記保持部は、前記捕集体に突入する突起を前記捕集体に近接する側に有する。
【００１０】
本発明の望ましい態様として、前記突起は、針状の突起であり、前記保持部は、前記支持部の立設方向に直交する方向であって、かつ、前記外周面に沿う方向である所定方向の幅が前記突起の前記所定方向の幅に対応する。
【００１１】
本発明の望ましい態様として、屋根と、側方に設けられた通気用の開口部とを有する箱体を有し、前記支持部は、前記箱体内で立設する。
【発明の効果】
【００１２】
本発明によれば、大気浮遊塩分を捕集する部材の交換に係る作業がより簡便になる。
【図面の簡単な説明】
【００１３】
【図１】図１は、本実施形態に係る粒子状物質捕集装置の一例を示す斜視図である。
【図２】図２は、本実施形態に係る粒子状物質捕集装置の構造の一例を示す図である。
【図３】図３は、支持部の構造の一例を示す斜視図である。
【図４】図４は、捕集体が巻き付けられた支持部の一例を示す斜視図である。
【図５】図５は、図２に示す保持部が外周面に巻き付けられた捕集体から離隔した回動角度である場合の一例を示す図である。
【図６】図６は、保持部が図５に示す回動角度であって、かつ、支持部に捕集体が巻き付けられていない場合の一例を示す図である。
【図７】図７は、保持部、突起及び捕集体の位置関係の一例を示す図である。
【図８】図８は、保持部、突起及び捕集体の位置関係の一例を示す図である。
【図９】図９は、保持部４０の先端側の拡大図である。
【図１０】図１０は、保持部が外周面に巻き付けられた捕集体から離隔した回動角度である場合の保持部及び回動支持部の正面図である。
【図１１】図１１は、箱体が取り付けられた柱状の建造物の一例を示す図である。
【図１２】図１２は、箱体内部の構成の一例を示す斜視図である。
【発明を実施するための形態】
【００１４】
次に、本発明を実施するための形態（以下、本実施形態と記載する）を、図面を参照して詳細に説明する。図１は、本実施形態に係る粒子状物質捕集装置１の一例を示す斜視図である。図２は、本実施形態に係る粒子状物質捕集装置１の構造の一例を示す図である。本実施形態に係る粒子状物質捕集装置１は、支持部１０と、捕集体１５と、保持部４０ａ，４０ｂと、貯留部３０と、箱体５０とを備える。
【００１５】
図３は、支持部１０の構造の一例を示す斜視図である。図４は、捕集体１５が巻き付けられた支持部１０の一例を示す斜視図である。図３及び図４では、保持部４０ａ，４０ｂ及び後述する回動支持部４５の図示を省略している。支持部１０は、立設する円筒状の外周面を有する。具体的には、支持部１０は、円筒状の外周面が格子状になっており、通気性を有する。より具体的には、支持部１０は、例えば円筒状の外形を有する合成樹脂製の構造体であり、樹脂製の格子が円筒の外周面を形成するよう設けられている。支持部１０の外周面は、例えば円筒の両端等に存する円状のプレートによって支持されている。プレートは外周面を支持するための構造体の一例であって、当該構造体はプレートに限られるものでない。当該構造体は、例えば、輻（所謂スポーク）状であってもよい。
【００１６】
捕集体１５は、支持部１０の外周面に巻き付けられる。具体的には、捕集体１５は、例えばガーゼである。捕集体１５は、支持部１０の円筒状の外周部に巻きつけられて、さらに、図２に示すように、外側から保持部４０ａ，４０ｂによって保持される。支持部１０に巻き付けられた捕集体１５は、大気中に曝露された状態である場合に、大気に含まれる粒子状物質（例えば、海塩粒子等の大気浮遊塩分）を付着させて捕集する。
【００１７】
図５は、図２に示す保持部４０ａ，４０ｂが外周面に巻き付けられた捕集体１５から離隔した回動角度である場合の一例を示す図である。保持部４０ａ，４０ｂは、外周面に巻き付けられた捕集体１５に対して近接と離隔とを切り替え可能に設けられて捕集体１５に対する近接時に捕集体１５を保持する。具体的には、保持部４０ａ，４０ｂは、外周面に対して回動可能に設けられている。より具体的には、保持部４０ａは、例えば、図５に示すように、支持部１０の上端に設けられた回動支持部４５ａにより回動可能に設けられている。また、保持部４０ｂは、例えば、図５に示すように、支持部１０の下端に設けられた回動支持部４５ｂにより回動可能に設けられている。回動支持部４５ａ，４５ｂは、支持部１０の上端及び下端に設けられて、支持部１０の外周面に対して支持部１０の径方向に突出した位置で保持部４０ａ，４０ｂを回動可能に支持している。保持部４０ａ，４０ｂは、回動支持部４５ａ，４５ｂにより支持された回動軸４４を中心として回動することで、支持部１０の外周面又は支持部１０の外周面に巻き付けられた捕集体１５に対して近接と離隔とを切り替えるように動作する。保持部４０ａ，４０ｂは、支持部１０の外周面に巻き付けられた捕集体１５に対して近接した場合、図２に示すように、支持部１０の外周面との間に捕集体１５を挟み込む位置となる。
【００１８】
図６は、保持部４０ａ，４０ｂが図５に示す回動角度であって、かつ、支持部１０に捕集体１５が巻き付けられていない場合の一例を示す図である。保持部４０ａ，４０ｂが図５に示すような回動角度である場合、支持部１０の外周面が開放状態であることから、支持部１０に対して捕集体１５を着脱することができる。すなわち、支持部１０に対して捕集体１５を巻き付ける場合及び支持部１０に巻き付けられた捕集体１５を取り外す場合、保持部４０ａ，４０ｂは、図６に示すように、支持部１０の外周面を開放状態とするように外周面から離隔した回動角度とされる。図５に示すように支持部１０に対して捕集体１５を巻き付けた後、保持部４０ａ，４０ｂを捕集体１５に近接させるように回動させることで、図２に示すように保持部４０ａ，４０ｂにより捕集体１５を保持することができる。以下、支持部１０の上端に設けられた回動支持部４５ａにより回動可能に設けられた保持部４０ａと支持部１０の下端に設けられた回動支持部４５ｂにより回動可能に設けられた保持部４０ｂとを区別する必要が無い場合、保持部４０と記載することがある。また、回動支持部４５ａと回動支持部４５ｂとを区別する必要が無い場合、回動支持部４５と記載することがある。
【００１９】
図７及び図８は、保持部４０、突起４２及び捕集体１５の位置関係の一例を示す図である。図７では、針の位置を図示することを優先するために取っ手４９の図示を省略している。保持部４０は、捕集体１５に突入する突起４２を捕集体１５に近接する側に有する。保持部４０が有する突起４２は、例えば、針状の突起４２である。具体的には、例えば図７及び図８に示すように、突起４２は、例えば径が２ミリメートル以下の金属又はそれに類する単体若しくは化合物製の針であり、捕集体１５として機能するガーゼの網目を縫うように捕集体１５を貫通することができる。保持部４０における突起４２の配置は、保持部４０が支持部１０の外周面に対して近接する回動角度となった場合に突起４２が支持部１０の外周面の格子状の隙間を通ることができる位置に設けられている。保持部４０が捕集体１５に対して近接している場合、突起４２は、図７に示すように捕集体１５を貫通して支持部１０の外周面の格子の隙間を通って支持部１０の内側に入り込む位置となる。突起４２の径及び数は適宜変更可能である。図５等で図示している突起４２の数は五つであるが、これに限られるものでなく、四つ以下であってもよいし、六つ以上であってもよい。また、突起４２は、円錐状の針に限らず、例えば多角錐状であってもよい。
【００２０】
図９は、保持部４０の先端側の拡大図である。保持部４０は、例えば、支持部１０の立設方向に直交する方向であって、かつ、外周面に沿う方向である所定方向の幅Ｄが突起４２の所定方向の幅に対応する。具体的には、保持部４０の幅Ｄは、所定の径（例えば、２ミリメートル以下）の突起４２を支持するのに十分な幅であって、かつ、捕集体１５を保持するのに十分な強度を有することができる最低限の幅（例えば、３ミリメートル）となっている。本実施形態の保持部４０及び回動支持部４５は、例えば合成樹脂製であるが、保持部４０及び回動支持部４５の素材は適宜変更可能である。保持部４０の幅Ｄ及び突起４２の幅はあくまで一例であってこれに限られるものでなく、保持部４０の素材等を考慮して適宜決定されてもよい。保持部４０の幅Ｄをより細くすることで、保持部４０により捕集体１５の外周面が覆われる面積をより小さくすることができることから、大気に曝露される捕集体１５の外周面の面積を確保しやすくなる。
【００２１】
図１０は、保持部４０が外周面に巻き付けられた捕集体１５から離隔した回動角度である場合の保持部４０及び回動支持部４５の正面図である。保持部４０の回動角度の保持は、例えば、回動支持部４５に設けられた窪み４８ａ，４８ｂ（凹部）と保持部４０の回動角度と連動して位置を変ずる突出部４７（凸部）との嵌合による。具体的には、例えば、図１０に示すように、保持部４０と回動軸４４を共有して回動するホイール４６の内側には、突出部４７が設けられている。また、回動支持部４５には、突出部４７と嵌合可能な２つの窪み４８ａ，４８ｂが設けられている。窪み４８ａの位置は、保持部４０が捕集体１５に近接した回動角度である場合の突出部４７の位置に対応する。窪み４８ｂの位置は、保持部４０が捕集体１５から離隔した回動角度である場合の突出部４７の位置に対応する。図５、図７等で示すように、突出部４７と窪み４８ａ，４８ｂとが嵌合することで、保持部４０は捕集体１５に対する回動角度を維持される。
【００２２】
また、本実施形態では、保持部４０に取っ手４９が設けられている。取っ手４９は、突起４２の反対側に設けられている。捕集体１５を取り外す作業者は、取っ手４９を掴んで保持部４０を回動させることができることから、より簡便に捕集体１５の取り外しを行うことができる。
【００２３】
回動支持部４５は、支持部１０に対してねじＶによってねじ留めされて固定されているが、これは回動支持部４５の固定方法の一例であってこれに限られるものでない。例えば接着等によって回動支持部４５を支持部１０に固定するようにしてもよい。
【００２４】
貯留部３０は、支持部１０の下方に設けられて捕集体１５から落ちた液体及び固体を貯留する。具体的には、貯留部３０は、例えば上方が開放された容器状の部材であり、上方から落下してきた液体及び固体を貯留可能な構造を有している。より具体的には、貯留部３０は、例えば、径が支持部１０に巻き付けらえた捕集体１５により形成される円筒の径よりも大きい円筒状の側壁３１と、側壁３１が形成する円筒の一端（下端）を閉塞する底部３２とを有する。貯留部３０は、上方から落下してきた液体、固体又はその両方を底部３２で受け止めると共に、側壁３１により外部への漏出を防止する。
【００２５】
貯留部３０は、側壁３１が大気中に曝露されている捕集体１５の側方を遮蔽しない位置に設けられることが望ましい。また、貯留部３０の形状は任意である。例えば、貯留部３０は球体状の外周面を形成するカプセルを二つに割ったような形状であってもよい。なお、貯留部３０は上方から落下してきた液体及び固体を貯留可能な形状であるものとする。具体的には、貯留部３０は、上方が開放状態であり、内側が器状又は下方に向かって窪む形状であるものとする。
【００２６】
箱体５０は、捕集体１５が巻き付けられた支持部１０を内側に収納する。具体的には、箱体５０は、例えば、屋根部５１と、底部５２と、四つの側面部５３とを有する直方体状の形状を有する。箱体５０は、内部が空洞であり、捕集体１５が巻き付けられた支持部１０を内部に収納可能に設けられている。
【００２７】
箱体５０は、側方に通気用の開口部が設けられている。具体的には、箱体５０は、例えば、側方にルーバーを有する。より具体的には、箱体５０の四つの側面部５３はそれぞれ、複数の羽板５３ａが上下方向に間隔をあけて互いに平行になるように設けられている。羽板５３ａ同士の間の隙間が開口部として機能することで、箱体５０は、その内部に箱体５０外の大気（風）を通過させることができるように設けられている。
【００２８】
羽板５３ａは、箱体５０の内側から外側に向かって下方に傾斜するよう設けられている。これにより、雨等の降下物が開口部から箱体５０の内側に入り込むことを抑制することができる。また、屋根部５１は、箱体５０の側面部５３よりも外側に張り出すように設けられている。これにより、雨等の降下物が支持部１０に巻き付けられた捕集体１５に降り注ぐことをより確実に抑制することができる。箱体５０は、所謂百葉箱である。
【００２９】
図１１は、箱体５０が取り付けられた柱状の建造物６０の一例を示す図である。箱体５０は、外側から内側に捕集体１５が巻き付けられた支持部１０を導入することができるとともに、内側で保持されていた支持部１０を巻き付けられた捕集体１５ごと取り出すことができるよう設けられていることが望ましい。本実施形態では、箱体５０の四つの側面部５３のうち一つが鎧戸となっていて開閉可能に設けられている。鎧戸は、太陽の日周運動において地平線より上側で子午線を通る方角（例えば北半球の場合、南側）の逆側（例えば北半球の場合、北側）に設けられることが望ましい。また、図１１に示す例において、鎧戸を柱状の建造物６０（例えば、電柱等）側にすることで、柱状の建造物６０を登って捕集体１５が巻き付けられた支持部１０の設置及び回収を行う作業者がより作業をしやすくなる。
【００３０】
図１２は、箱体５０内部の構成の一例を示す斜視図である。図１２では、貯留部３０の図示を省略している。支持部１０は、箱体５０内で立設する。具体的には、本実施形態の箱体５０の内部には、捕集体１５が巻き付けられた支持部１０を立設した状態で保持し、支持部１０に巻き付けられた捕集体１５を箱体５０の内部で大気中に曝露させる状態とするための保持構造が設けられている。より具体的には、保持構造は、例えば、棒状の部材であるシャフト２１と、シャフト２１の両端を係止する二つの係止部２２，２３とを有する。シャフト２１は、支持部１０の円筒形状の中心軸とほぼ重なる状態で支持部１０のプレートを貫通するよう設けられる。本実施形態の支持部１０は、シャフト２１に固定されているが、シャフト２１を支持部１０から挿抜可能としてもよい。貯留部３０は、例えばシャフト２１に固定されることで、支持部１０の下方で固定される。二つの係止部２２，２３は、例えばシャフト２１が鉛直に設けられるよう、シャフト２１の長さに応じた間隔を有する位置関係で上下方向に設けられる。支持部１０が固定されているシャフト２１を二つの係止部２２，２３が箱体５０の内部で係止することで、支持部１０は、円筒の中心軸が鉛直になるよう設けられる。二つの係止部２２，２３は、例えば下方の一方がシャフト２１を挿入可能な穴を有する係止部２２（図２参照）であり、他方が板状部材２３ａと、回動部材２３ｂとを有し、板状部材２３ａに形成された切欠部２３ｃに進入したシャフト２１を回動部材２３ｂにより保持する機構を有する係止部２３である。切欠部２３ｃは、例えば水平に設けられた板状部材２３ａの側方から内側に向かうよう設けられ、シャフト２１の径に応じた幅を有する。切欠部２３ｃが設けられた板状部材２３ａは、シャフト２１を側方から進入又は取り外し可能になっている。回動部材２３ｂは、板状部材２３ａの一面側で支点２３ｄを中心に回動可能に支持され、切欠部２３ｃの入り口側の開放と閉鎖とを切り替えるように回動する。係る二つの係止部２２，２３の具体的な形態はあくまで一例であってこれに限られるものでなく、適宜変更可能である。
【００３１】
本実施形態では、二つの係止部２２，２３のうちシャフト２１の上方を係止する一方は、箱体５０内の屋根部５１側に固定されている。また、二つの係止部２２，２３のうちシャフト２１の下方を係止する他方は、箱体５０内の底部５２側に固定されている。
【００３２】
以上、本実施形態によれば、立設する円筒状の外周面を有する支持部１０と、外周面に巻き付けられる捕集体１５と、外周面に巻き付けられた捕集体１５に対して近接と離隔とを切り替え可能に設けられて捕集体１５に対する近接時に捕集体１５を保持する保持部４０とを備える。このため、支持部１０に巻き付けられた捕集体１５に保持部４０を近接させることで支持部１０に巻き付けられた捕集体１５を保持するとともに、支持部１０に巻き付けられた捕集体１５から保持部４０を離隔させることで捕集体１５を支持部１０から容易に取り外すことができる。よって、より簡便に捕集体１５の設置及び交換を行うことができる。このように、本実施形態によれば、大気浮遊塩分を捕集する部材の交換に係る作業がより簡便になる。
【００３３】
また、保持部４０は、外周面に対して回動可能に設けられている。このため、捕集体１５に対する保持部４０の近接と離隔との切り替えを回動動作によって行うことができる。よって、捕集体１５の設置及び交換に際した捕集体１５に対する保持部４０の近接と離隔との切り替えをより簡便に行うことができる。
【００３４】
また、保持部４０は、支持部１０の上端及び下端に設けられた回動支持部４５により回動可能に設けられている。このため、支持部１０と保持部４０とを一体的に取り扱うことができる。よって、支持部１０に巻き付けられた捕集体１５と保持部４０との位置合わせがより容易であることから、より簡便に捕集体１５の設置を行うことができる。
【００３５】
また、保持部４０は、捕集体１５に突入する突起４２を捕集体１５に近接する側に有する。このため、突起４２を捕集体１５に穿つことで捕集体１５をより確実に保持することができる。
【００３６】
また、突起４２は、針状の突起４２であり、保持部４０は、支持部１０の立設方向に直交する方向であって、かつ、外周面に沿う方向である所定方向の幅が突起４２の所定方向の幅に対応する。このため、大気に曝露される捕集体１５の外周面の面積を確保しやすくなる。
【００３７】
また、捕集体１５が巻き付けられた支持部１０は、箱体５０内で保持される。このため、雨等の降下物が支持部１０に巻き付けられた捕集体１５に降り注ぐことを抑制することができる。
【００３８】
また、支持部１０に巻き付けられた捕集体１５が円筒状の形状を有することで、円筒の中心軸に交差するより多くの方向から風等に乗って飛来する大気浮遊塩分をよりむらなく捕集することができる。
【００３９】
また、支持部１０の下方に設けられて支持部１０に巻き付けられた捕集体１５から落ちた液体及び固体を貯留する貯留部３０を備える。このため、捕集体１５に付着後、捕集体１５から落下した液体及び固体を貯留することができる。よって、捕集体１５の回収時に貯留部３０に貯留された液体及び固体を回収することで、捕集体１５により捕集された大気浮遊塩分の総量をより高い精度で把握することができるようになる。
【００４０】
以上、実施形態について説明したが、これらの実施形態の内容により本発明が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、前述した実施形態等の要旨を逸脱しない範囲で構成要素の種々の省略、置換又は変更を行うことができる。
【００４１】
例えば、保持部４０が設けられるのは、支持部１０の上端及び下端の少なくとも一方であってもよい。保持部４０が設けられるのが支持部１０の上端及び下端の一方である場合、例えば、一方の回動支持部４５から延出される保持部４０の長さを支持部１０の外周面の立設方向に沿った長さに対応させることで、外周面に巻き付けられた捕集体１５をより確実に保持することができる。
【００４２】
また、上記の実施形態では、シャフト２１と二つの係止部２２，２３により支持部１０を立設させているが、これは支持部１０を立設させるための具体的な形態の一例であってこれに限られるものでなく、適宜変更可能である。例えば、支持部１０の円筒の両端から延出するよう設けられた繊維、紐又は布状の延出部を設け、延出部の両端を箱体５０内の天井側（例えば、屋根部５１の下面側等）及び底部５２側（例えば、底部５２の上面側等）に留めるようにしてもよい。
【００４３】
また、支持部１０又は支持部１０と一体的に扱われる構成には、大気中に曝露される期間中における方角を示す指標が付されていてもよい。例えば、支持部１０が固定されたシャフト２１の外周面のうち、箱体５０の鎧戸側に向いているべき面に中心線（例えば、筒の延設方向に沿う線）等の指標が付されていてもよい。この場合、作業者は綿が巻き付けられた支持部１０の設置において当該指標が正面に来るように設置することで、綿が巻き付けられた支持部１０の回収後にどの部分がどの方角を向いていたのかを容易に把握することができる。
【００４４】
また、捕集体１５は、海塩粒子等の大気浮遊塩分に限らず、大気中に存する他の粒子状物質を捕集することもできる。
【００４５】
また、粒子状物質捕集装置１が設けられるのは、柱状の建造物６０に限らない。粒子状物質捕集装置１は、例えば鉄塔等、通気性のある空間に面することができるあらゆる構造物に設けることができる。また、粒子状物質捕集装置１は、地上に設置されていてもよい。
【符号の説明】
【００４６】
１      粒子状物質捕集装置
１０    支持部
１５    捕集体
２１    シャフト
２２，２３  係止部
３０    貯留部
４０    保持部
４２    突起
４５    回動支持部
５０    箱体
５１    屋根部
５３    側面部
５３ａ  羽板
【図１】
0006627231.tif 000002
【図２】
0006627231.tif 000003
【図３】
0006627231.tif 000004
【図４】
0006627231.tif 000005
【図５】
0006627231.tif 000006
【図６】
0006627231.tif 000007
【図７】
0006627231.tif 000008
【図８】
0006627231.tif 000009
【図９】
0006627231.tif 000010
【図１０】
0006627231.tif 000011
【図１１】
0006627231.tif 000012
【図１２】
0006627231.tif 000013